(57)【要約】【課題】リアルタイムに顔の状態を確認し、見本を参照しながら化粧ができ、顔にあわせて情報を表示する装置を提供する。【解決手段】本発明の鏡型化粧補助装置は、人物の顔を撮像するイメージセンサー１１と、イメージセンサー１１によって撮像された人物の顔の映像から、当該顔に対応付けられた参照情報を抽出する制御部１３（参照情報抽出部１３０）と、人物の顔の鏡像と、抽出された参照情報とを重畳して表示する表示部１２とを備えている。【選択図】図２
2014023127.tif 000002
【特許請求の範囲】
【請求項１】
人物の顔を撮像する撮像手段と、
上記撮像手段によって撮像された人物の顔の映像から、当該顔に対応付けられた参照情報を抽出する参照情報抽出手段と、
人物の顔の鏡像と、上記参照情報抽出手段によって抽出された参照情報とを重畳して表示する表示手段とを備えていることを特徴とする情報表示装置。
【請求項２】
上記参照情報抽出手段は、
上記撮像手段によって撮像された人物の顔から顔の各パーツを検出する顔パーツ検出手段を備えており、
上記顔パーツ検出手段によって検出された各パーツに対応付けられた情報を上記参照情報として抽出することを特徴とする請求項１に記載の情報表示装置。
【請求項３】
上記参照情報抽出手段は、
所定の入力を受けて、人物の顔または顔のパーツの画像である見本画像を選択する見本画像選択手段をさらに備えており、
上記顔パーツ検出手段は、上記見本画像選択手段によって選択された見本画像から顔の各パーツを検出し、
当該検出された各パーツのうちの少なくとも１つを、上記参照情報に含めることを特徴とする請求項２に記載の情報表示装置。
【請求項４】
上記表示手段は、
上記参照情報を表示するディスプレイと、
上記ディスプレイに表示される映像を透過し、人物の顔の鏡像を反射するハーフミラーとを備えていることを特徴とする請求項１〜３のいずれか１項に記載の情報表示装置。
【請求項５】
上記表示手段は、
上記参照情報を表示するディスプレイと、
上記ディスプレイから出射される光を透過するタッチパネルとを備えており、
上記タッチパネルは、上記参照情報抽出手段に当該タッチパネルの操作状況を送信することを特徴とする請求項１〜４のいずれか１項に記載の情報表示装置。
【請求項６】
外部ネットワークとの通信手段をさらに備えており、
上記参照情報抽出手段は、上記通信手段を介して上記外部ネットワークからデータを取得し、当該データを上記参照情報に含めることを特徴とする請求項１〜５のいずれか１項に記載の情報表示装置。
【請求項７】
上記データを蓄積するメモリーをさらに備えており、
上記参照情報抽出手段は、上記メモリーから取得したデータを上記参照情報に含めることを特徴とする請求項１〜６のいずれか１項に記載の情報表示装置。
【請求項８】
人物の顔を撮像する撮像ステップと、
上記撮像ステップにおいて撮像された人物の顔の映像から、当該顔に対応付けられた参照情報を抽出する参照情報抽出ステップと、
人物の顔の鏡像と、上記参照情報抽出ステップにおいて抽出された参照情報とを重畳して表示する表示ステップとを含んでいることを特徴とする情報表示方法。
【請求項９】
コンピュータを、請求項１〜７のいずれか１項に記載の参照情報抽出手段として機能させるための制御プログラム。
【請求項１０】
請求項９に記載の制御プログラムを記録したコンピュータ読み取り可能な記録媒体。
【発明の詳細な説明】
【技術分野】
【０００１】
本発明は、リアルタイムに情報を提示する情報表示装置に関する。
【背景技術】
【０００２】
最近、ディスプレイを、テレビジョン、パーソナルコンピューター、または携帯端末などでの単なる映像表示といった従来用途に用いるだけではなく、新しい用途に展開することが検討されている。例えば、ディスプレイを用いた商品に顔認証アプリケーションを搭載するといったことが行われており、ディスプレイ商品およびディスプレイに付加価値を付与する一因となっている。つまり、例えば顔認証技術は、ディスプレイ商品に付加価値を生み出す重要な技術の一つであると言える。
【０００３】
このようなディスプレイ商品に顔などの認識技術を用いたアプリケーションを搭載する用途展開の一つとして、化粧補助を挙げることができる。
【０００４】
従来の化粧においては、化粧を行う人物（ユーザー）が、例えば見本となる画像と鏡に映った自分の顔の鏡像とを、目視により比較しながら行う。このため、当該ユーザーは、画像と鏡との間で視線を繰り返し移動させる必要がある。
【０００５】
そこで、見本となる画像の表示機能および鏡としての機能を両方持ちあわせた装置を用いることが考えられる。特許文献１には、仮想メイクアップ画像（見本となる画像）が表示される状態と、所定時間ハーフミラーにユーザー自身の顔が映る状態とを交互に繰り返す画像表示装置が開示されている。当該画像表示装置を用いることにより、ユーザーは、画像と鏡との間で視線を繰り返し移動させずにメイクアップを行うことができる。
【先行技術文献】
【特許文献】
【０００６】
【特許文献１】特開２０１２−７８４６９号公報（２０１２年４月１９日公開）
【発明の概要】
【発明が解決しようとする課題】
【０００７】
しかしながら、特許文献１に開示されている画像表示装置では、見本となる画像を表示する状態とユーザーの顔を映す鏡としての状態とが、所定の時間で交互に切り替わるため、常に自分の顔の現在の状態を確認しながら化粧をすることができないといった問題が生じる。
【０００８】
また、特許文献１に開示されている画像表示装置では、ユーザーは、顔の位置および角度を仮想メイクアップ画像（見本となる画像）にあわせる必要があり、当該画像表示装置では、ユーザーの顔の位置や角度が変わった場合に、ユーザーの顔の位置および角度が仮想メイクアップ画像にあわなくなるといった問題が生じる。
【０００９】
本発明は、上記の問題を解決するためになされたものであり、その目的は、ユーザーがリアルタイムで自分自身の顔の現在の状態を確認しつつ、化粧補助用の情報を参照しながら化粧をすることができる情報表示装置を提供することにある。
【課題を解決するための手段】
【００１０】
本発明の情報表示装置は、上記の課題を解決するために、人物の顔を撮像する撮像手段と、上記撮像手段によって撮像された人物の顔の映像から、当該顔に対応付けられた参照情報を抽出する参照情報抽出手段と、人物の顔の鏡像と、上記参照情報抽出手段によって抽出された参照情報とを重畳して表示する表示手段とを備えていることを特徴としている。
【００１１】
また、本発明の情報表示方法は、人物の顔を撮像する撮像ステップと、上記撮像ステップにおいて撮像された人物の顔の映像から、当該顔に対応付けられた参照情報を抽出する参照情報抽出ステップと、人物の顔の鏡像と、上記参照情報抽出ステップにおいて抽出された参照情報とを重畳して表示する表示ステップとを含んでいることを特徴としている。
【００１２】
上記構成によれば、表示手段が、人物の顔の鏡像と、撮像された人物の顔の映像に対応付けられた参照情報とを重畳して表示することで、当該人物は、自分自身の顔の鏡像と、自分の顔の映像に対応付けられた参照情報とを同時に見ることができる。ここで、表示手段に表示される人物の鏡像は、リアルタイムに映し出された鏡像であり、この鏡像に重畳する参照情報も、当該人物をリアルタイムに映し出した映像に対応付けられた参照情報である。
【００１３】
ここで、上述の人物とは、情報表示装置のユーザーであっても良い。
【００１４】
したがって、ユーザーは、リアルタイムで自分自身の顔の現在の状態を確認しつつ、自分の顔の映像に対応付けられた参照情報を確認することができる。
【００１５】
例えば、顔の映像に対応付けられた参照情報が、化粧補助用の情報である場合には、ユーザーは、リアルタイムで自分自身の顔の現在の状態を確認しつつ、化粧補助用の情報を参照しながら化粧をすることができる。
【００１６】
また、上記参照情報抽出手段は、上記撮像手段によって撮像された人物の顔から顔の各パーツを検出する顔パーツ検出手段を備えており、上記顔パーツ検出手段によって検出された各パーツに対応付けられた情報を上記参照情報として抽出することが好ましい。
【００１７】
上記構成によれば、顔パーツ検出手段によって、人物の顔の各パーツが検出される。また、参照情報として、各パーツに対応付けられた情報が抽出される。これにより、情報表示装置のユーザーは、リアルタイムで自分自身の顔の現在の状態を確認しつつ、自分の顔の各パーツに対応付けられた参照情報を確認することができる。
【００１８】
また、上記参照情報抽出手段は、所定の入力を受けて、人物の顔または顔のパーツの画像である見本画像を選択する見本画像選択手段をさらに備えており、上記顔パーツ検出手段は、上記見本画像選択手段によって選択された見本画像から顔の各パーツを検出し、当該検出された各パーツのうちの少なくとも１つを、上記参照情報に含めることが好ましい。
【００１９】
上記構成によれば、見本画像選択手段は、所定の入力を受けて、人物の顔または顔のパーツの画像である見本画像を選択する。ここで、所定の入力とは、例えば、当該人物の操作に基づく操作入力であっても良い。また、顔パーツ検出手段は、当該見本画像から顔の各パーツを検出する。また、当該検出された各パーツのうちの少なくとも１つが、参照情報に含められる。これにより、ユーザーは、リアルタイムで自分自身の顔の現在の状態を確認しつつ、自分の顔の各パーツに対応付けられた見本画像を含む参照情報を確認することができる。
【００２０】
また、上記表示手段は、上記参照情報を表示するディスプレイと、上記ディスプレイに表示される映像を透過し、人物の顔の鏡像を反射するハーフミラーとを備えていることを特徴とすることが好ましい。
【００２１】
上記構成によれば、参照情報が、ディスプレイに表示され、ハーフミラーは、ディスプレイの表示を透過するとともに、人物の顔の鏡像を反射する。つまり、表示手段は、参照情報と人物の顔の鏡像とを、重畳して表示することができる。
【００２２】
また、上記表示手段は、上記参照情報を表示するディスプレイと、上記ディスプレイから出射される光を透過するタッチパネルとを備えており、上記タッチパネルは、上記参照情報抽出手段に当該タッチパネルの操作状況を送信することが好ましい。
【００２３】
上記構成によれば、参照情報抽出手段は、情報表示装置のユーザーによるタッチパネルの操作状況を受信し、操作状況に応じて、表示手段を制御することができる。
【００２４】
外部ネットワークとの通信手段をさらに備えており、上記参照情報抽出手段は、上記通信手段を介して当該外部ネットワークからデータを取得し、当該データを上記参照情報に含めることが好ましい。
【００２５】
上記構成によれば、参照情報抽出手段は、通信手段を介して、外部ネットワークからデータを受信し、当該データを参照情報に含めることができる。これにより、ユーザーは、例えば、最新の情報を確認することができる。
【００２６】
上記データを蓄積するメモリーをさらに備えており、上記参照情報抽出手段は、上記メモリーから取得したデータを上記参照情報に含めることが好ましい。
【００２７】
上記構成によれば、参照情報抽出手段は、メモリーにデータを読み書きすることができることにより、以前の処理と最新の処理との比較し、これに応じた処理を行うことができる。
【００２８】
なお、制御プログラムにより、コンピュータを、上記参照情報抽出手段として機能させることができる。さらに、当該制御プログラムを、コンピュータ読取り可能な記録媒体に記憶させることにより、汎用なコンピュータ上で上記制御プログラムを実行させることができる。
【発明の効果】
【００２９】
本発明の情報表示装置は、以上のように、人物の顔を撮像する撮像手段と、上記撮像手段によって撮像された人物の顔の映像から、当該顔に対応付けられた参照情報を抽出する参照情報抽出手段と、人物の顔の鏡像と、上記参照情報抽出手段によって抽出された参照情報とを重畳して表示する表示手段とを備えていることを特徴としている。
【００３０】
また、本発明の情報表示方法は、人物の顔を撮像する撮像ステップと、上記撮像ステップにおいて撮像された人物の顔の映像から、当該顔に対応付けられた参照情報を抽出する参照情報抽出ステップと、人物の顔の鏡像と、上記参照情報抽出ステップにおいて抽出された参照情報とを重畳して表示する表示ステップとを含んでいることを特徴としている。
【００３１】
それゆえ、ユーザーは、リアルタイムで自分自身の顔の現在の状態を確認しつつ、化粧補助用の情報を参照しながら化粧をすることができる。
【図面の簡単な説明】
【００３２】
【図１】本発明の一実施形態に係る鏡型化粧補助装置が提供する表示画面を示す図である。
【図２】図１に示す鏡型化粧補助装置の構成を示す図である。
【図３】図１に示す鏡型化粧補助装置が備える制御部の構成および制御部の周辺の構成を示すブロック図である。
【図４】図１に示す鏡型化粧補助装置が備えるイメージセンサーが撮像した映像を示す図である。
【図５】図１に示す鏡型化粧補助装置が備える表示部に表示されるユーザーの顔の鏡像を示す図である。
【図６】上記イメージセンサーと、上記表示部と、ユーザーとの位置関係をＹ方向について示す図である。
【図７】上記イメージセンサーと、上記表示部と、ユーザーとの位置関係をＸ方向について示す図である。
【図８】図１においてアイシャドウのメイクゾーンガイドが選択され表示されている状態を示す図である。
【図９】本発明の他の実施形態に係る鏡型化粧補助装置の制御部の構成および制御部の周辺の構成を示すブロック図である。
【図１０】（ａ）は、ユーザーにより選択された見本画像における顔パーツ（目）の位置およびサイズを示す図である。（ｂ）は、図９に示す鏡型化粧補助装置の表示部におけるユーザーの顔パーツ（目）の位置およびサイズを示す図である。（ｃ）は、（ａ）に示す位置およびサイズを変更した状況を示す図である。
【図１１】図１０（ｂ）と図１０（ｃ）とを重畳して表示させた図である。
【発明を実施するための形態】
【００３３】
本発明の実施形態に係る情報表示装置として鏡型化粧補助装置を例に挙げて説明する。
【００３４】
なお、以下の説明では、同一の部材および構成要素には同一の符号を付している。それらの名称および機能も同じである。したがって、それらについての詳細な説明は繰り返さない。
【００３５】
〔実施形態１〕
本発明の一実施形態に係る鏡型化粧補助装置（情報表示装置）１について、図１〜８に基づいて説明すれば、以下の通りである。
【００３６】
＜鏡型化粧補助装置１の構成＞
図２は、本発明の一実施形態に係る鏡型化粧補助装置の構成を示す図である。図２に示すように、鏡型化粧補助装置１は、イメージセンサー（撮像手段）１１と、表示部（表示手段）１２と、制御部１３とを備えている。まず、イメージセンサー１１が、ユーザー１００の顔を撮像する。次に、イメージセンサー１１にて撮像されたユーザー１００の顔は、制御部１３にて解析される。ここで、制御部１３は、撮像されたユーザー１００の顔の映像を解析し、ユーザー１００の化粧補助用の映像（画像、参照情報）を生成する。次に、制御部１３は、表示部１２がユーザー１００の化粧補助用の映像を表示するように、表示部１２を制御する。ここで、表示部１２は、後述するように鏡としての機能を有している。つまり、表示部１２は、ユーザー１００の顔の鏡像を表示するとともに、ユーザー１００の化粧補助用の映像を表示する。すなわち、表示部１２は、ユーザー１００の顔の鏡像と、ユーザー１００の化粧補助用の映像とを重畳して表示するようになっている。
【００３７】
したがって、上記構成の鏡型化粧補助装置１は、鏡としての機能と情報表示機能とを両立させていると言うことができる。
【００３８】
図１は、図２に示す鏡型化粧補助装置１が提供する表示画面を示す図である。図１に示すように、ユーザー１００の顔の鏡像および化粧補助用の映像が重畳されて、表示部１２の表示領域２００に表示されている。より具体的には、まず、鏡型化粧補助装置１に取り付けたイメージセンサー１１によりユーザー１００の顔が撮像され、制御部１３によりユーザー１００の顔および顔パーツが検出されるとともに、当該顔および顔パーツの位置およびサイズの情報に基づいて化粧を補助する化粧補助用の映像（情報）として、メイクゾーンガイド（アイブロー、チーク、ハイライト、アイシャドウ、またはファンデーションなど、各種の化粧を行う際の化粧範囲を示す枠）が算出されて、最終的に、ユーザー１００の顔の鏡像および当該メイクゾーンガイドの映像が重畳されて、表示部１２の表示領域２００に表示される。
【００３９】
以下では、図１に示す鏡型化粧補助装置１の構成部材をそれぞれ詳細に説明する。
【００４０】
（イメージセンサー１１）
イメージセンサー１１は、例えばＣＣＤ（Charge-Coupled Device）撮像素子、ＣＭＯＳ（Complementary Metal Oxide Semiconductor）撮像素子等からなり、ユーザー１００の顔を撮像する。ここで、イメージセンサー１１は、ユーザー１００の方向を向くように取り付けられている。また、イメージセンサー１１により撮像されたユーザー１００の顔の映像は、制御部１３に送信されて、後述するように、ユーザー１００の顔および顔パーツの位置および角度などを算出する処理に用いられる。
【００４１】
（表示部１２）
図３は、図１に示す鏡型化粧補助装置１が備える制御部１３の構成および制御部１３の周辺の構成を示すブロック図である。図３に示すように、表示部１２は、ユーザー１００の顔を表示するとともに、ユーザー１００の化粧補助用の映像を表示させる。ここで、表示部１２は、ディスプレイ１２１と、ハーフミラー１２２と、タッチパネル１２３とを備えている。これらの部材は、ユーザー１００が表示部１２を見る方向から、タッチパネル１２３、ハーフミラー１２２、ディスプレイ１２１の順番に並んでいる。
【００４２】
上記ディスプレイ１２１は、例えば液晶パネルからなり、上述した化粧補助用の映像表示するようになっている。
【００４３】
上記タッチパネル１２３は、透明である。次に、ハーフミラー１２２は、タッチパネル１２３側から入射する光の一部を反射し、ディスプレイ１２１側から入射する光の一部を透過する。これにより、ハーフミラー１２２が鏡として機能し、ユーザー１００の顔を映すとともに、ディスプレイ１２１に表示される映像（化粧補助用の映像;メイクゾーンガイドなど）をタッチパネル１２３側に透過する。つまり、表示部１２は、このような構成をとることにより、ユーザー１００の顔の現在の状態を鏡として表示するとともに、上述のメイクゾーンガイドを当該状態に重畳ささせて表示することができる。
【００４４】
なお、表示部１２がハーフミラーを備えている構成を説明したが、この構成に限定されるわけではない。例えば、表示部１２がハーフミラーのかわりにマジックミラー、反射型偏光性フィルム（ＤＢＥＦ；Dual Brightness Enhancement Film）、またはダイクロイックミラーなどを備えていても良い。つまり、表示部１２がハーフミラーのかわりに、上述の透過および反射が両立でき、輝度や位相などによって当該透過および反射の配分を調節できる部材を備えていれば良い。
【００４５】
また、ディスプレイ１２１には、化粧補助用の映像として、上述のメイクゾーンガイドの他に、操作用のユーザーインターフェース（ＵＩ；User Interface）が表示されても良い。これにより、ユーザー１００は、タッチパネル１２３を介して当該ＵＩを操作することができる。ここで、後述するように、当該操作状況は、タッチパネル１２３により制御部１３に送信される。これにより、例えば、表示部１２の表示領域２００に表示する情報を、ユーザー１００の操作に応じて変更することができる。
【００４６】
（制御部１３）
制御部１３は、表示部１２を制御して、表示部１２にユーザー１００の化粧補助用の映像を表示させる。
【００４７】
図３に示すように、制御部１３は、顔検出部１３１１と、顔パーツ検出部（顔パーツ検出手段）１３１２と、位置特定部１３２と、表示制御部１３３と、通信部（通信手段）１３３１と、メモリー１３３２と、出力部（出力手段）１３４とを備えている。ここで、図３において破線で示す部分を、参照情報抽出部（参照情報抽出手段）１３０としている。
【００４８】
イメージセンサー１１は、顔検出部１３１１および顔パーツ検出部１３１２と接続されている。これにより、イメージセンサー１１が撮像したユーザー１００の顔の映像が顔検出部１３１１および顔パーツ検出部１３１２に送信されて、解析されることになる。
【００４９】
また、タッチパネル１２３は、表示制御部１３３と接続されている。これにより、ユーザー１００によるタッチパネル１２３の操作状況が表示制御部１３３に送信されて、解析されることになる。
【００５０】
また、ディスプレイ１２１は、出力部１３４と接続されている。これにより、出力部１３４から出力される映像が、ディスプレイ１２１に表示されることになる。
【００５１】
また、外部ネットワーク２０は、通信部１３３１と接続されている。
【００５２】
以下では、制御部１３が備える各部材について、詳細に説明する。
【００５３】
（参照情報抽出部１３０）
参照情報抽出部１３０は、後述するように、イメージセンサー１１によって撮像されたユーザー１００の顔の映像から、当該顔に対応付けられた参照情報を抽出する一連の処理を行う、制御部１３における主要な部位である。参照情報抽出部１３０は、顔検出部１３１１と、顔パーツ検出部１３１２と、位置特定部１３２と、表示制御部１３３とを含んでいる。
【００５４】
（顔検出部１３１１）
顔検出部１３１１は、イメージセンサー１１と接続されており、イメージセンサー１１から受信したユーザー１００の顔の映像を解析し、当該映像におけるユーザー１００の顔の位置およびサイズを検出する。また、顔検出部１３１１は、位置特定部１３２に接続されており、当該検出した位置およびサイズを、位置特定部１３２に送信する。
【００５５】
（顔パーツ検出部１３１２）
顔パーツ検出部１３１２は、イメージセンサー１１と接続されており、イメージセンサー１１から受信したユーザー１００の顔の映像を解析し、ユーザー１００の顔の目、鼻、および口などの位置およびサイズをそれぞれ検出する。また、顔パーツ検出部１３１２は、位置特定部１３２に接続されており、当該検出した位置およびサイズを、位置特定部１３２に送信する。
【００５６】
（位置特定部１３２）
位置特定部１３２は、顔検出部１３１１および顔パーツ検出部１３１２と接続されており、顔検出部１３１１からユーザー１００の顔の位置およびサイズを受信し、顔パーツ検出部１３１２からユーザー１００の各顔パーツ（目、鼻、および口など）の位置およびサイズをそれぞれ受信する。また、ユーザー１００の顔および各顔パーツの位置に基づいて、表示部１２（ディスプレイ１２１）におけるユーザー１００の顔および各顔パーツの位置をそれぞれ特定する。また、位置特定部１３２は、当該特定した顔および各顔パーツの位置ならびに顔検出部１３１１および顔パーツ検出部１３１２から受信した顔および顔パーツのサイズを、表示制御部１３３に送信する。
【００５７】
（表示制御部１３３）
表示制御部１３３は、位置特定部１３２と接続されており、位置特定部１３２からユーザー１００の顔および各顔パーツの表示部１２における位置およびサイズを受信する。また、表示制御部１３３は、タッチパネル１２３と接続されており、ユーザー１００によるタッチパネル１２３の操作状況を受信する。
【００５８】
また、表示制御部１３３は、タッチパネル１２３から受信したユーザー１００によるタッチパネル１２３の操作状況および位置特定部１３２から受信したユーザー１００の顔および各顔パーツの表示部１２に対する位置およびサイズに基づいて、ディスプレイ１２１に表示するメイクゾーンガイドの位置およびサイズを設定する。
【００５９】
また、表示制御部１３３は、出力部１３４と接続されている。これにより、表示制御部１３３は、出力部１３４を介して、ディスプレイ１２１に後述の方法により取得した情報を表示する。ここで、ディスプレイ１２１に表示する情報とは、メイクゾーンガイド、当該メイクゾーンガイドの名称および種類などである。また、当該情報は、各顔パーツにおけるメイクゾーンガイドに適した化粧品および化粧用具の名称および種類、当該化粧品および化粧用具に関連する情報などであっても良い。
【００６０】
また、表示制御部１３３は、通信部１３３１と接続されており、通信部１３３１を介して外部ネットワーク２０と通信を行う。これにより、表示制御部１３３は、外部ネットワーク２０から、ディスプレイ１２１に表示する情報などを取得する。例えば、上述のメイクゾーンガイドは、同じ顔パーツに対するメイクゾーンガイドであっても、鏡型化粧補助装置１のバージョンアップ、制御部１３のバージョンアップ、ユーザー１００の好みおよび気分、最新の流行などに基づいて、以前の処理とは異なる最新のメイクゾーンガイドを表示させたい場合がある。このような場合に、表示制御部１３３は、通信部１３３１を介して、外部ネットワーク２０から最新の情報を取得することができる。
【００６１】
また、表示制御部１３３は、メモリー１３３２と接続されており、メモリー１３３２に各種のデータを書き込み、メモリー１３３２から当該書き込んだデータを読み出す。これにより、表示制御部１３３は、上述のように通信部１３３１を介して外部ネットワーク２０から取得した情報をあらかじめメモリー１３３２に蓄積しておき、最新の情報をディスプレイ１２１に表示する際に、蓄積された情報をメモリー１３３２から取得することができる。
【００６２】
また、表示制御部１３３は、上述のように位置特定部１３２から受信したユーザー１００の顔および各顔パーツの表示部１２に対する位置およびサイズを、メモリー１３３２に書き込んでも良い。これにより、例えば、各顔パーツの相対的位置が同一ユーザーに対して変化することは少ないと仮定できることから、表示制御部１３３は、メモリー１３３２に蓄積されたデータを読み出すことにより、以前の処理における各顔パーツの位置およびサイズと、最新の顔の位置およびサイズとを比較し、最新の各顔パーツの位置およびサイズを予測することができる。つまり、表示制御部１３３は、メモリー１３３２に蓄積されたデータを参照することにより、顔の位置およびサイズのみから、各顔パーツの位置およびサイズを予測することができ、当該処理を短時間化および低コスト化できる。
【００６３】
また、表示制御部１３３は、上述のようにタッチパネル１２３から受信したユーザー１００によるタッチパネル１２３の操作状況を、メモリー１３３２に書き込んでも良い。これにより、例えば、以前の処理における当該操作状況の履歴をメモリー１３３２に蓄積させて、ユーザー１００が特定のメイクゾーンガイドを用いて化粧をする際に特定の顔パーツの表示を拡大するといった、ユーザー１００の操作の癖やユーザー１００の好みを、当該蓄積した履歴から解析して、ディスプレイ１２１に表示する情報に反映させることができる。つまり、表示制御部１３３は、ユーザー１００の操作の癖やユーザー１００の好みに基づいて、適切な情報をディスプレイ１２１に表示することができる。
【００６４】
（通信部１３３１）
通信部１３３１は、表示制御部１３３および外部ネットワーク２０と接続されており、表示制御部１３３と外部ネットワーク２０との通信を中継する。
【００６５】
図３においては、制御部１３が備えている通信部１３３１は１つであるが、この構成に限定されるわけではない。例えば、外部のネットワークが複数ある場合には、制御部１３は、各ネットワークに応じて複数の通信部１３３１を備えていても良い。また、通信部１３３１は、外部ネットワーク２０と通信して情報を取得できれば良く、当該通信の方式は、有線方式であっても良いし無線方式であっても良い。
【００６６】
また、通信部１３３１と外部ネットワーク２０との通信は、表示制御部１３３からのリクエストに応答して行われても良いし、外部ネットワーク２０からのリクエストに応答して行われても良い。つまり、当該通信において、表示制御部１３３は、クライアントとして機能しても良いし、サーバーとしても機能しても良い。これにより、表示制御部１３３は、上述のようなネットワークを介した最新の情報の能動的な取得に加えて、例えば、外部のデータベースの更新に応じた受動的な情報の更新や外部からの制御を受けることができる。
【００６７】
通信部１３３１は、表示制御部１３３を介して、ユーザー１００によるタッチパネル１２３の操作に基づいて制御されても良い。これにより、ユーザー１００は、通信部１３３１に対して、通信時間帯や通信先を指定したり、上述の通信形態を制限したり、当該通信におけるデータの暗号化の有無や、当該暗号化方式を設定したりすることができる。
【００６８】
（メモリー１３３２）
メモリー１３３２は、表示制御部１３３と接続されており、表示制御部１３３から各種データを受信して蓄積する。また、メモリー１３３２は、表示制御部１３３へ蓄積したデータを送信する。
【００６９】
また、メモリー１３３２は、表示制御部１３３を介して、ユーザー１００によるタッチパネル１２３の操作に基づいて制御されても良い。これにより、ユーザー１００は、メモリー１３３２に対して、蓄積されるデータの保存期間を指定したり、当該蓄積におけるデータの暗号化の有無や、当該暗号化方式を設定したりすることができる。
【００７０】
（外部ネットワーク２０）
外部ネットワーク２０は、鏡型化粧補助装置１の外部に存在する、ＬＡＮで構築されたホームネットワークや、インターネットなどである。
【００７１】
（出力部１３４）
出力部１３４は、表示制御部１３３およびディスプレイ１２１と接続されており、表示制御部１３３からディスプレイ１２１に表示する情報を受信し、当該情報をディスプレイ１２１に表示させる。
【００７２】
＜鏡型化粧補助装置１の動作＞
以上では、鏡型化粧補助装置１の構成について説明した。以下では、上記の構成を備えている鏡型化粧補助装置１がどのように動作するかについて説明する。
【００７３】
（顔および顔パーツの位置およびサイズの検出）
図４は、図１の鏡型化粧補助装置１が備えるイメージセンサー１１が撮像した映像を示す図である。図４に示すように、イメージセンサー１１（図２参照）で撮像されたユーザー１００の顔に対して、顔の位置（Ｘ、Ｙ）と顔のサイズ（ｗ、ｈ）が検出されている。ここで、Ｘは、当該映像における水平方向の位置を表している。また、Ｙは、映像における垂直方向の位置を表している。なお、ＸおよびＹの原点や値が増加する方向は、特に限定されるわけではなく、任意に設定されても良い。
【００７４】
上述のようなユーザー１００の顔および顔パーツの検出アルゴリズムは、特に限定されるわけではないが、例えば、Ｈａａｒ−Ｌｉｋｅ特徴量によるパターンマッチングとＡｄａＢｏｏｓｔ（Adaptive Boosting）学習アルゴリズムとを組みあわせたものなどであっても良い。
【００７５】
つまり、顔検出部１３１１（図３参照）は、上述の検出アルゴリズムにより、イメージセンサー１１が撮像した映像から、図４に示すように、ユーザー１００の顔の位置およびサイズを検出することができる。また、顔パーツ検出部１３１２（図３参照）も、同様にして、ユーザー１００の顔パーツの位置およびサイズを検出することができる。
【００７６】
（表示部１２における顔および顔パーツの位置の特定）
以下では、上述のように検出した顔および顔パーツの位置およびサイズから、表示部１２の表示領域２００におけるユーザー１００の顔および顔パーツの位置を求める方法について説明する。
【００７７】
図５は、表示部１２に表示されるユーザー１００の顔の鏡像を示す図である。図５に示すように、ハーフミラー１２２（図３参照）により反射されたユーザー１００の鏡像と、後述するようにディスプレイ１２１（図３参照）に表示された破線で示されるメイクゾーンガイドなどの情報とが重畳されて、表示部１２の表示領域２００に表示される。このように、表示領域２００に対して、メイクゾーンガイドなどの情報を適切に表示できるように、顔検出部１３１１および顔パーツ検出部１３１２において検出した、イメージセンサー１１で撮像した映像における顔および顔パーツの位置およびサイズから、表示部１２における顔および顔パーツの位置を求める。
【００７８】
（Ｙ方向）
図６は、イメージセンサー１１と、表示部１２と、ユーザー１００との位置関係をＹ方向について示す図である。また、図６は、図２に示した座標系での、Ｙ方向における中心軸に対するユーザー１００の位置（以下、単に位置ｙと称する）を示している。ここで、位置ｙは、表示部１２におけるユーザー１００の顔のＹ方向の位置であると言える。
【００７９】
以下では、図６に示す位置関係を、順番に説明する。
【００８０】
まず、表示部１２からユーザー１００までの標準距離をＤとしている。また、表示部１２の高さ（Ｙ方向の長さ）をＨとしている。ここで、標準距離である距離Ｄおよび表示部１２の高さＨは、概ねＤ＝３Ｈの関係が成り立つように設定されることが、標準的である言える。
【００８１】
次に、イメージセンサー１１の光軸は、表示部１２の中心軸上の点であって、表示部１２の中心点Ｐｏからユーザー１００側へ距離Ｄの位置にある点Ｐｄを通過するように、配されている。ここで、イメージセンサー１１の光軸と、表示部１２の中心軸がなす角をθとしている。
【００８２】
次に、ユーザー１００の顔は、イメージセンサーの光軸から距離ｙａの位置にある。つまり、距離ｙａは、点Ｐｒと点Ｐｂとの間の距離であると言える。ここで、当該距離ｙａは、イメージセンサー１１が撮像した映像において、当該映像（画像）の中心からユーザー１００の顔の位置までの画素数を、長さ（例えば、ｍ）にスケーリングすることにより求めることができる。
【００８３】
当該スケーリングは、上記画素数とスケーリング値Ｓとを乗算することにより行われる。ここで、スケーリング値Ｓは、例えば、１ｍの基準棒などをイメージセンサー１１で撮像し、撮像した画像において、基準棒の長さを表す画素数がｐｓであったとすると、Ｓ＝１／ｐｓとして求めることができる。
【００８４】
つまり、上述の映像の中心からユーザー１００の顔の位置までのＹ方向の画素数をｐｙａとすると、距離ｙａは、ｙａ＝Ｓ×ｐｙａにより、長さ（ｍ）にスケーリングして求めることができる。
【００８５】
次に、イメージセンサー１１からユーザー１００までの、イメージセンサー１１の光軸上の距離Ｅｂは、上述のように検出した、イメージセンサー１１が撮像した映像におけるユーザー１００の顔のサイズから近似的に求めることができる。しかしながら、この方法に限定されるわけではなく、距離Ｅｂは、例えば、顔を画像認識する際のイメージセンサー１１のピント位置の距離情報から求めても良い。
【００８６】
ここで、イメージセンサー１１から点Ｐｄまでの距離をＥａとする。また、Ｅｂ＞Ｅａであるとする。このとき、表示部１２におけるユーザー１００の顔の位置ｙは、次の式（１）により与えられる。
ｙ＝ｙａ・ｃｏｓθ−（Ｅｂ−Ｅａ）・ｓｉｎθ  …（１）
以上のように、表示部１２における顔のＹ方向の位置を特定することができる。
【００８７】
（Ｘ方向）
図７は、イメージセンサー１１と、表示部１２と、ユーザー１００との位置関係をＸ方向について示す図である。また、図６は、図２に示した座標系での、Ｘ方向における中心軸に対するユーザー１００の位置（以下、単に位置ｘと称する）を示している。ここで、位置ｘは、表示部１２におけるユーザー１００の顔のＸ方向の位置であると言える。
【００８８】
図７に示すように、位置ｘは、イメージセンサー１１が撮像した映像（画像）から、上述のようなスケーリングを行うことにより得られる。つまり、表示部１２におけるユーザー１００の顔のＸ方向の位置を特定することができる。
【００８９】
（表示部１２における顔および顔パーツの位置の特定の総括）
位置特定部１３２は、上述の方法により、顔検出部１３１１が検出したユーザー１００の顔の位置およびサイズから、表示部１２におけるユーザー１００の顔の位置を特定することができる。また、位置特定部１３２は、同様の方法により、顔パーツ検出部１３１２が検出したユーザー１００の顔パーツの位置およびサイズから、表示部１２におけるユーザー１００の顔の位置を特定することができる。
【００９０】
つまり、位置特定部１３２は、表示部１２におけるユーザー１００の顔および顔パーツの位置を特定することができる。
【００９１】
なお、図６および図７では、１台のイメージセンサー１１が、表示部１２の上辺中央部に配されているが、この構成に限定されるわけではない。例えば、ユーザー１００の距離情報をより正確に求めるために、２台以上のイメージセンサー１１が用いられても良い。また、イメージセンサー１１が、表示部１２の上辺中央部以外の場所に配されても良い。
【００９２】
（表示の制御）
上述のように特定（算出）した表示部１２における顔および顔パーツの位置と、サイズとから、図５に示すように、表示部１２の表示領域２００に表示するメイクゾーンガイドの位置およびサイズを設定（決定）する。以下では、チークのメイクゾーンガイドを例に挙げて、位置およびサイズを設定する方法を説明する。なお、以下では、ユーザー１００の右チークに対するチークのメイクゾーンガイドを例としている。
【００９３】
まず、上述のように、目領域および鼻領域を検出できる。次に、目領域および鼻領域の検出結果を利用して、目領域における瞳の位置および鼻領域における小鼻の位置を求める。次に、当該瞳の位置から垂直方向に伸ばした線と、当該小鼻の位置から水平方向に伸ばした線との交点の位置Ｐｃｒをチーク右座標とする。次に、瞳の位置から伸ばした線上の位置にあるこめかみの位置Ｐｃｌをチーク左座標とする。
【００９４】
このようにして求めたチーク右座標およびチーク左座標と、チーク右座標とチーク左座標との間の距離とから、破線で示されるチークのメイクゾーンガイドの位置およびサイズを設定（決定）する。他のメイクゾーンガイドについても同様の方法により、位置およびサイズを設定することができる。
【００９５】
しかしながら、各メイクゾーンガイドの位置およびサイズを求める方法は、上述の方法に限定されるわけではない。例えば、各メイクゾーンガイドの位置およびサイズは、ユーザー１００の好みの位置およびサイズを維持するように設定されていても良い。
【００９６】
出力部１３４は、上述のように設定された各メイクゾーンガイドの種類、位置、およびサイズを表示制御部１３３から受信し、各メイクゾーンガイドを、ディスプレイ１２１に表示させる。また、各メイクゾーンガイドに加えて、各メイクゾーンガイドの名称および種類なども表意させても良い。
【００９７】
＜鏡型化粧補助装置１の効果＞
鏡型化粧補助装置１は、上述の構成を、上述のように動作させることにより、ユーザー１００の顔の鏡像に、アイブロー、チーク、およびハイライトなどのメイクゾーンガイドならびに各メイクゾーンガイドの名称および種類、アイシャドウおよびファンデーションなどの表示可能なメイクゾーンガイドの名称および種類などの情報を重畳して、表示部１２の表示領域２００に表示させることができる（図１参照）。なお、図１は、アイブロー、チーク、およびハイライトのメイクゾーンガイドが選択されている状態である。
【００９８】
図８は、図１においてアイシャドウのメイクゾーンガイドが選択され表示されている状態を示す図である。図８に示すように、表示部１２の表示領域２００に対するユーザー１００の位置が変化し、表示領域２００におけるユーザー１００の位置およびサイズが変化しても、上述の構成を、上述のように動作させることにより、メイクゾーンガイドなどの各情報を、表示部１２の表示領域２００に適切に表示させることができる。つまり、ユーザー１００の顔の目に位置に、ハイライト、アイシャドウの明るめの色、およびアイシャドウの暗めの色といったメイクゾーンガイドとともに、これらの名称が情報として示されている。
【００９９】
本実施形態では、上述のように、化粧を補助する各メイクゾーンガイドをユーザー１００の顔の適切な位置に重畳して表示することができる。しかしながら、従来技術では、ユーザー１００の顔および顔パーツを検出しても、これらの位置やサイズ情報に基づいて表示内容を変更していないため、本発明のような効果は奏し得なかった。
【０１００】
本実施形態では、顔および顔のパーツを検出し、例えば、本発明に係る装置の前に立ったユーザー１００の顔に化粧を補助する情報を重畳して表示できる。また、リアルタイムに顔および顔パーツの検出をおこなうことにより、表示する情報を顔の位置や角度にあわせて変更することができる。
【０１０１】
前記実施形態１では、化粧を補助する化粧補助用の映像としてメイクゾーンガイドを用いた例について説明したが、化粧補助用の映像として、仮想メイクアップ画像（見本画像）を用いた例について以下の実施形態２で説明する。
【０１０２】
〔実施形態２〕
本発明の他の実施形態に係る鏡型化粧補助装置（情報表示装置）２について、図９〜１１に基づいて説明すれば、以下の通りである。
【０１０３】
鏡型化粧補助装置２は、鏡型化粧補助装置１が備えている制御部１３にかえて、制御部２３を備えている。なお、制御部２３以外の構成については、鏡型化粧補助装置１が備えている構成と同様である。そこで、以下では、制御部２３の構成および動作について、詳細に説明する。
【０１０４】
＜制御部２３の構成＞
図９は、本発明の他の実施形態に係る鏡型化粧補助装置２の制御部２３の構成および制御部２３の周辺の構成を示すブロック図である。図９に示ように、制御部２３は、図３に示す、実施形態１の制御部１３とは異なり、見本画像選択部（見本画像選択手段）２３１を備えている。また、位置特定判定部２３２を備えており、後述のように条件判定を行い、位置特定部での処理を繰り返し、表示制御部１３３へ、特定した各位置を送信している。
【０１０５】
ここで、図９において破線で示す部分を、参照情報抽出部（参照情報抽出手段）２３０としている。
【０１０６】
以下では、図９に示す制御部２３の構成部材をそれぞれ詳細に説明する。
【０１０７】
（参照情報抽出部２３０）
参照情報抽出部２３０は、後述するように、所定の入力を受けて、見本画像を選択する一連の処理を行う、制御部２３における主要な部位である。参照情報抽出部２３０は、見本画像選択部２３１と、顔検出部１３１１と、顔パーツ検出部１３１２と、位置特定部１３２と、位置特定判定部２３２と、表示制御部１３３とを含んでいる。
【０１０８】
ここで、見本画像とは、人物の顔または顔のパーツの画像であり、ユーザー１００が自分の顔と見比べることにより、化粧の具体的な例とするための画像のことである。例えば、化粧のモデルとなる人物の顔または顔の一部の画像であっても良いし、過去に化粧をしたユーザー１００自身の顔または顔の一部の画像であっても良い。
【０１０９】
また、参照情報抽出部２３０が受ける所定の入力とは、ここではタッチパネル１２３から受ける入力であって、ユーザー１００によるタッチパネル１２３の操作入力のことである。
【０１１０】
（見本画像選択部２３１）
見本画像選択部２３１は、顔検出部１３１１と、顔パーツ検出部１３１２と、表示制御部１３３と、通信部１３３１と、メモリー１３３２とに接続されている。これにより、見本画像選択部２３１は、表示制御部１３３から、ユーザー１００のタッチパネル１２３における操作状況を受信し、当該操作状況に基づいて、ユーザー１００が化粧の見本とする画像を選択した場合に、当該選択された画像を顔検出部１３１１および顔パーツ検出部１３１２へ送信する。
【０１１１】
顔検出部１３１１および顔パーツ検出部１３１２は、当該送信された画像に基づいて、見本画像の顔および顔パーツの当該画像における位置およびサイズを検出する。このように検出された位置およびサイズは、各パーツの名称とあわせて表示制御部１３３へ送信される。
【０１１２】
また、見本画像選択部２３１は、通信部１３３１およびメモリー１３３２と接続されている。これにより、見本画像選択部２３１は、通信部１３３１を介して外部ネットワーク２０から見本となる画像を取得したり、メモリー１３３２にあらかじめ蓄積されている見本となる画像を取得したりすることができる。
【０１１３】
（位置特定判定部２３２）
位置特定判定部２３２では、上述のように検出されたユーザー１００の顔および顔パーツの位置およびサイズから、表示部１２におけるユーザー１００の顔および各顔パーツの位置がすべて特定されているかを判定する。当該特定がなされていない場合は、位置特定部１３２へ当該検出した位置およびサイズを送信する。位置特定部１３２は、当該送信された位置およびサイズから、表示部１２におけるユーザー１００の顔および各顔パーツの位置を特定する。なお、当該特定方法について、実施形態１と同様である。また、すべての、表示部１２におけるユーザー１００の顔および各顔パーツの位置が特定された場合には、位置特定判定部２３２は、当該特定された各位置を、表示制御部１３３へ送信する。
【０１１４】
＜制御部２３の動作＞
以下では、以上の構成を備えている制御部２３の動作について詳細に説明する。
【０１１５】
（処理ａに関する一連の処理）
処理ａは、イメージセンサー１１から得た情報に基づいた処理である。
【０１１６】
まず、実施形態１と同様に、制御部２３では、イメージセンサー１１が撮像した映像が、顔検出部１３１１および顔パーツ検出部１３１２へ送信される。また、顔検出部１３１１および顔パーツ検出部１３１２は、当該映像から、ユーザー１００の顔および顔パーツの位置およびサイズを検出する。また、当該検出された位置およびサイズは、位置特定判定部２３２に送信される。
【０１１７】
次に、位置特定判定部２３２は、上述のように、すべての、表示部１２におけるユーザー１００の顔および各顔パーツの位置が特定された場合には、位置特定判定部２３２は、当該特定された各位置を、表示制御部１３３へ送信する。
【０１１８】
次に、表示制御部１３３では、後述の表示制御により、後述する処理ｂにてユーザー１００に選択された画像と、当該送信されてきた表示部１２におけるユーザー１００の顔および各顔パーツの位置と、上述のように検出したユーザー１００の顔および各顔パーツのサイズとから、表示部１２に表示する情報の位置およびサイズを設定する。そして、表示制御部１３３は、出力部を介して、表示部１２に情報を表示させる。
【０１１９】
（処理ｂに関する一連の処理）
また、処理ａと平行して、図９において処理ｂとして表している処理を経由する、一連の別の処理が行われる。ここで、処理ｂとは、ユーザー１００により選択された見本画像から得られた情報に基づく処理である。
【０１２０】
まず、見本画像選択部２３１は、表示制御部１３３を介して、ユーザー１００のタッチパネル１２３における操作状況を受信し、当該操作状況に基づいて、ユーザー１００が化粧の見本とする画像を選択した場合に、当該選択された画像を顔検出部１３１１および顔パーツ検出部１３１２へ送信する。
【０１２１】
次に、顔検出部１３１１および顔パーツ検出部１３１２は、当該送信された画像に基づいて、見本画像の顔および顔パーツの当該画像における位置およびサイズを検出する。このように検出された位置およびサイズは、各パーツの名称とあわせて表示制御部１３３へ送信される。
【０１２２】
次に、表示制御部１３３では、後述の表示制御により、上述のようにユーザー１００に選択された画像と、処理ａにて送信されてきた表示部１２におけるユーザー１００の顔および各顔パーツの位置と、上述のように検出したユーザー１００の顔および各顔パーツのサイズとから、表示部１２に表示する情報の位置およびサイズを設定する。そして、表示制御部１３３は、出力部を介して、表示部１２に情報を表示させる。
【０１２３】
（表示制御）
制御部２３は、上述の構成により、リアルタイムに、表示部１２におけるユーザー１００の顔および各顔パーツの位置が特定され、サイズが検出される。また、当該特定処理と平行して、ユーザー１００により選択された見本画像における各顔パーツの位置およびサイズが検出される。
【０１２４】
以下では、ユーザー１００の顔の各顔パーツに、ユーザー１００により選択された見本画像における各顔パーツを重畳させて表示させる、表示制御について説明する。
【０１２５】
図１０（ａ）は、ユーザー１００により選択された見本画像における顔パーツ（目）の位置およびサイズを示す図である。図１０（ａ）に示すように、ユーザー１００により選択された見本画像における目の位置は（ｘｅｉ，ｙｅｉ）であり、当該目の横および縦の長さ（サイズ）は、それぞれ（ｗｉ，ｈｉ）である。
【０１２６】
図１０（ｂ）は、図９に示す鏡型化粧補助装置２の表示部１２におけるユーザー１００の顔パーツ（目）の位置およびサイズを示す図である。図１０（ｂ）に示すように、表示部１２におけるユーザー１００の目の位置は（ｘｅｕ，ｙｅｕ）であり、当該目の横および縦の長さ（サイズ）は、それぞれ（ｗｕ，ｈｕ）である。
【０１２７】
図１０（ｃ）は、（ａ）に示すユーザー１００により選択された見本画像における顔パーツ（目）の位置およびサイズを変更したものを示す図である。図１０（ｃ）に示すように、図１０（ａ）に示すユーザー１００により選択された見本画像における目の位置は、図１０（ｂ）に示す表示部１２おけるユーザー１００の目の位置（ｘｅｕ，ｙｅｕ）に変更されている。また、当該目の横および縦の長さ（サイズ）も、図１０（ｂ）に示す表示部１２におけるユーザー１００の目の横および縦の長さ（サイズ）（ｗｕ、ｈｕに）に変更されている。
【０１２８】
表示制御部１３３において、以上のように、ユーザー１００により選択された見本画像における顔パーツの位置およびサイズが変更されることにより、当該変更後の位置およびサイズは、表示部１２におけるユーザー１００の顔パーツの位置およびサイズに概ね一致させることができる。
【０１２９】
つまり、表示制御部１３３は、見本画像中の顔パーツの位置がユーザー１００の顔パーツの位置と同じになるよう位置およびサイズを変更して設定し、見本画像中の顔パーツのサイズとユーザーの目のサイズが等しくなるように、見本画像を移動および拡大／縮小する。また、表示制御部１３３は、このように処理した画像を出力部１３４に送り、ディスプレイ１２１へ表示することで、ユーザー１００が化粧の見本となる画像と自分の状態とを比較することが容易になる。
【０１３０】
なお、目以外の他の顔パーツや、複数の顔パーツが検出された場合も上記と同様の処理により、見本画像を移動および拡大／縮小して、ユーザー１００が化粧の見本となる画像と自分の状態とを比較することが容易になる。
【０１３１】
＜鏡型化粧補助装置２の効果＞
図１１は、図１０（ｂ）と図１０（ｃ）とを重畳して表示させた図である。図１１に示すように、鏡型化粧補助装置２では、上述の構成を、上述のように動作させることにより、ユーザー１００は、自分が選択した見本画像と自分の状態とを容易に比較することができる。
【０１３２】
つまり、見本画像中の顔パーツとユーザー１００の顔パーツの位置およびサイズが一致しているため、鏡型化粧補助装置２により、見本となる画像にあわせて、ユーザー１００は、容易に化粧をすることができる。
【０１３３】
また、鏡型化粧補助装置２は、鏡型化粧補助装置１が備えている構成も備えているため、鏡型化粧補助装置１と同様に、鏡型化粧補助装置２のユーザー１００は、リアルタイムで自分自身の顔の現在の状態を確認しつつ、化粧補助用の情報を参照しながら化粧をすることができる。
【０１３４】
また、鏡型化粧補助装置２のユーザー１００は、リアルタイムで自分自身の顔の現在の状態を確認しつつ、化粧補助用の情報を参照しながら、見本となる画像にあわせて、容易に化粧をすることもできる。
【０１３５】
〔制御プログラムと記録媒体〕
鏡型化粧補助装置１および２の各ブロック、特に制御部１３および制御部２３は、ハードウェアロジックによって構成してもよいし、次のようにＣＰＵを用いてソフトウェアによって実現してもよい。
【０１３６】
すなわち、鏡型化粧補助装置１および２は、各機能を実現する制御プログラムの命令を実行するＣＰＵ、上記プログラムを格納したＲＯＭ、上記プログラムを展開するＲＡＭ、上記プログラムおよび各種データを格納するメモリー等の記憶装置（記録媒体）などを備えている。そして、本発明の目的は、上述した機能を実現するソフトウェアである鏡型化粧補助装置１および２の制御プログラムのプログラムコード（実行形式プログラム、中間コードプログラム、ソースプログラム）をコンピュータで読み取り可能に記録した記録媒体を、上記鏡型化粧補助装置１および２に供給し、そのコンピュータ（またはＣＰＵやＭＰＵ）が記録媒体に記録されているプログラムコードを読み出し実行することによっても、達成可能である。
【０１３７】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリーカードを含む）／光カード等のカード系、あるいはマスクＲＯＭ／ＥＰＲＯＭ／ＥＥＰＲＯＭ（登録商標）／フラッシュＲＯＭ等の半導体メモリー系などを用いることができる。
【０１３８】
また、鏡型化粧補助装置１および２を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。
【０１３９】
〔付記事項〕
本発明は上述した各実施形態に限定されるものではなく、請求項に示した範囲で種々の変更が可能であり、異なる実施形態にそれぞれ開示された技術的手段を適宜組みあわせて得られる実施形態についても本発明の技術的範囲に含まれる。
【産業上の利用可能性】
【０１４０】
本発明は、上述のように、鏡型の化粧補助に利用することができる。また、本発明は、化粧補助用途以外の一般的な情報表示用途に用いられても良い。例えば、化粧補助装置以外の情報表示装置として実現されても良い。本発明は、例えば、スマートＴＶやカメラを搭載したインフォメーションディスプレイとして、化粧補助以外の一般的な分野の装置として実現されても良い。
【符号の説明】
【０１４１】
１  鏡型化粧補助装置（情報表示装置）
２  鏡型化粧補助装置（情報表示装置）
１１  イメージセンサー（撮像手段）
１２  表示部（表示手段）
２０  外部ネットワーク
１２１  ディスプレイ
１２２  ハーフミラー
１２３  タッチパネル
１３０  参照情報抽出部（参照情報抽出手段）
１３１２  顔パーツ検出部（顔パーツ検出手段）
１３３１  通信部（通信手段）
１３３２  メモリー
２３０  参照情報抽出部（参照情報抽出手段）
２３１  見本画像選択部（見本画像選択手段）
【図１】
2014023127.tif 000003
【図２】
2014023127.tif 000004
【図３】
2014023127.tif 000005
【図４】
2014023127.tif 000006
【図５】
2014023127.tif 000007
【図６】
2014023127.tif 000008
【図７】
2014023127.tif 000009
【図８】
2014023127.tif 000010
【図９】
2014023127.tif 000011
【図１０】
2014023127.tif 000012
【図１１】
2014023127.tif 000013